(57)【要約】【課題】ジョブの実行ができない期間中にユーザからジョブが送信された場合、ジョブに関する情報を、当該ジョブに関する情報の表示可能な期間に表示すること。【解決手段】指定画像形成装置２Ａと、指定画像形成装置２Ａ及び代理画像形成装置２Ｂが実行するジョブを管理する情報管理装置３と、を備え、情報管理装置３は、指定画像形成装置２Ａがジョブを実行できない期間中であるか否かを判別する制御部３０と、代理画像形成装置２Ｂに指定画像形成装置２Ａが実行するジョブを送信すると共に、代理実行情報を指定画像形成装置２Ａが受信可能なときに送信する通信部３３と、を備え、指定画像形成装置２Ａは、代理実行情報を受信する通信部１８と、代理実行情報を表示する表示部１２と、代理実行情報の表示可能期間中に代理実行情報を表示手段１２に表示させる制御部１０と、を備える。【選択図】図１
2008165596.tif 000002
【特許請求の範囲】
【請求項１】
ジョブを実行する第１の画像形成装置と、
前記第１の画像形成装置及び第２の画像形成装置が実行するジョブを管理する情報管理装置と、を備え、
前記情報管理装置は、
前記第１の画像形成装置がジョブを実行できない期間中であるか否かを判別する判別手段と、
前記判別手段により前記第１の画像形成装置がジョブを実行できない期間中であると判別された場合、前記第２の画像形成装置に前記第１の画像形成装置が実行するジョブを送信すると共に、当該ジョブが前記第２の画像形成装置により代理実行された旨を示す代理実行情報を前記第１の画像形成装置が受信可能なときに送信する送信手段と、を備え、
前記第１の画像形成装置は、
前記送信手段により送信された代理実行情報を受信する受信手段と、
前記受信手段により受信された代理実行情報を表示する表示手段と、
前記代理実行情報の表示可能期間中に前記代理実行情報を前記表示手段に表示させる表示制御手段と、を備えることを特徴とする画像形成システム。
【請求項２】
前記情報管理装置は、
前記第１の画像形成装置が実行するジョブを前記第２の画像形成装置に代理実行させるか否かを判断する判断手段を備えることを特徴とする請求項１に記載の画像形成システム。
【請求項３】
前記代理実行情報は、
前記ジョブのジョブ名、前記ジョブの実行指示を行ったユーザ名、前記第２の画像形成装置の名称、及び前記第２の画像形成装置の位置情報の少なくとも１つを含むことを特徴とする請求項１に記載の画像形成システム。  
【請求項４】
ジョブ及びジョブの代理実行可能な画像形成装置を識別するための識別情報を受信する受信手段と、
前記受信手段により受信された識別情報を表示する表示手段と、
前記識別情報の表示可能な期間中に、当該識別情報を前記表示手段に表示させる表示制御手段と、
前記表示制御手段により表示された識別情報に基づいて、前記ジョブを代理実行する画像形成装置を指定する操作を受け付ける操作手段と、
前記操作手段により指定された画像形成装置に前記ジョブを代理実行させる制御手段と、
を備えることを特徴とする画像形成装置。
【請求項５】
前記識別情報は、
前記ジョブのジョブ名、前記ジョブの実行指示を行ったユーザ名、前記ジョブの代理実行可能な画像形成装置の名称、及び前記ジョブの代理実行可能な画像形成装置の位置情報の少なくとも１つを含むことを特徴とする請求項４に記載の画像形成装置。
【発明の詳細な説明】
【技術分野】
【０００１】
本発明は、画像処理システム及び画像形成装置に関する。
【背景技術】
【０００２】
従来より、スキャン、プリント、コピー、Ｆａｘ送信、及びメール送信等のジョブの実行履歴を表示する機能を備えた画像形成装置が知られている。
【０００３】
例えば、過去に行ったジョブの実行履歴を表示する履歴表示手段を備えることにより、ジョブの実行結果を確実に把握することが可能な画像形成装置が知られている（例えば、特許文献１参照）。
【特許文献１】特開平１１−３４１２１２号公報
【発明の開示】
【発明が解決しようとする課題】
【０００４】
しかしながら、上述の画像形成装置がジョブを実行できない期間中に、ユーザからジョブを実行する指示が送信されることもある。例えば、ユーザがＰＣ（Personal Computer）から電源ＯＦＦ時（ジョブの実行できない期間中）の画像形成装置へプリントジョブを送信した後、すぐに画像形成装置のところまでプリントされた記録紙を取りに行く場合がある。この場合、ユーザは、画像形成装置の電源をＯＮした後、画像形成装置の起動時のウォームアップ期間（ジョブに関する情報の表示可能な期間）が終了するまで待たなくてはならない。このため、ウォームアップ期間の時間が無駄になるという問題があった。
また、ユーザが実行したプリントジョブに関する情報（例えば、ユーザが送信したプリントジョブの内容の情報）を確認する場合、再度、画像形成装置からＰＣへ戻って確認しなければならない。このため、ジョブの情報の確認に手間がかかるという問題があった。
【０００５】
本発明の課題は、ジョブの実行ができない期間中にユーザからジョブが送信された場合、ジョブに関する情報を、当該ジョブに関する情報の表示可能な期間に表示することのできる画像形成システム及び画像形成装置を提供することである。
【課題を解決するための手段】
【０００６】
上記課題を解決するため、請求項１に記載の発明の画像形成システムは、
ジョブを実行する第１の画像形成装置と、
前記第１の画像形成装置及び第２の画像形成装置が実行するジョブを管理する情報管理装置と、を備え、
前記情報管理装置は、
前記第１の画像形成装置がジョブの実行のできない期間中であるか否かを判別する判別手段と、
前記判別手段により前記第１の画像形成装置がジョブの実行のできない期間中であると判別された場合、前記第２の画像形成装置に前記第１の画像形成装置が実行するジョブを送信すると共に、当該ジョブが前記第２の画像形成装置により代理実行された旨を示す代理実行情報を前記第１の画像形成装置が受信可能なときに送信する送信手段と、を備え、
前記第１の画像形成装置は、
前記送信手段により送信された代理実行情報を受信する受信手段と、
前記受信手段により受信された代理実行情報を表示する表示手段と、
前記代理実行情報の表示可能期間中に前記代理実行情報を前記表示手段に表示させる表示制御手段と、を備えることを特徴とする。
【０００７】
請求項２に記載の発明は、請求項１に記載の画像形成システムにおいて、
前記情報管理装置は、
前記第１の画像形成装置が実行するジョブを前記第２の画像形成装置に代理実行させるか否かを判断する判断手段を備えることを特徴とする。
【０００８】
請求項３に記載の発明は、請求項１に記載の画像形成システムにおいて、
前記代理実行情報は、
前記ジョブのジョブ名、前記ジョブの実行指示を行ったユーザ名、前記第２の画像形成装置の名称、及び前記第２の画像形成装置の位置情報の少なくとも１つを含むことを特徴とする。
【０００９】
請求項４に記載の発明の画像形成装置は、
ジョブ及びジョブの代理実行可能な画像形成装置を識別するための識別情報を受信する受信手段と、
前記受信手段により受信された識別情報を表示する表示手段と、
前記識別情報の表示可能な期間中に、当該識別情報を前記表示手段に表示させる表示制御手段と、
前記表示制御手段により表示された識別情報に基づいて、前記ジョブを代理実行する画像形成装置を指定する操作を受け付ける操作手段と、
前記操作手段により指定された画像形成装置に前記ジョブを代理実行させる制御手段と、を備えることを特徴とする。
【００１０】
請求項５に記載の発明は、請求項４に記載の画像形成装置において、
前記識別情報は、
前記ジョブのジョブ名、前記ジョブの実行指示を行ったユーザ名、前記ジョブの代理実行可能な画像形成装置の名称、及び前記ジョブの代理実行可能な画像形成装置の位置情報の少なくとも１つを含むことを特徴とする。
【発明の効果】
【００１１】
請求項１に記載の発明によれば、第１の画像形成装置がジョブの実行のできない期間中であると判別された場合、第２の画像形成装置により実行された旨を示す代理実行情報を、当該代理実行情報の表示可能な期間に第１の画像形成装置の表示手段に表示させることができる。これにより、ユーザは代理実行情報の表示可能期間中に代理実行情報を把握することができるので、代理実行情報の表示可能期間中の待ち時間を解消することができる。
【００１２】
請求項２に記載の発明によれば、第１の画像形成装置が実行するジョブを第２の画像形成装置に代理実行させるか否かを判断することができる。これにより、情報管理装置は、判断結果に基づいて、第１の画像形成装置または第２の画像形成装置にジョブを実行させることができる。
【００１３】
請求項３に記載の発明によれば、代理実行情報は、ジョブのジョブ名、ジョブの実行指示を行ったユーザ名、第２の画像形成装置の名称、及び第２の画像形成装置の位置情報のいずれか１つを含むことができる。
【００１４】
請求項４に記載の発明によれば、識別情報を、当該識別情報の表示可能な期間中に表示手段に表示させることができる。これにより、ユーザは識別情報の表示可能な期間中にジョブを代理実行する画像形成装置を指定することができ、識別情報の表示可能期間中の待ち時間を解消することができる。
【００１５】
請求項５に記載の発明によれば、識別情報は、ジョブのジョブ名、ジョブの実行指示を行ったユーザ名、ジョブの代理実行可能な画像形成装置の名称、及びジョブの代理実行可能な画像形成装置の位置情報の少なくとも１つを含むことができる。
【発明を実施するための最良の形態】
【００１６】
（第１の実施の形態）  
以下、添付図面を参照して本発明に係る第１の実施の形態を詳細に説明する。ただし、発明の範囲は図示例に限定されない。
【００１７】
図１〜図８を参照して、本発明に係る実施の形態を説明する。図１に本実施の形態の画像形成システム１の構成を示す。図２に画像形成装置２の内部構成を示す。図３に情報管理装置３の内部構成を示す。図４にＰＣ４の内部構成を示す。図５及び図６に画像形成装置２の表示部１２で表示される画面を示す。図７に情報管理装置３で実行される代理出力判断処理の流れを示す。図８に画像形成装置２で実行される第１の画面表示処理の流れを示す。
【００１８】
先ず、図１を参照して、画像形成システム１の構成を説明する。画像形成システム１は、画像形成装置２と、情報管理装置３と、ＰＣ４と、通信回線Ｎと、を備えて構成される。
【００１９】
画像形成装置２は、スキャン、プリント、コピー、Ｆａｘ送信、及びメール送信等のジョブを実行する。以下、本実施例では、ジョブはプリントジョブとして説明する。また、画像形成装置２は、第１の画像形成装置としての指定画像形成装置２Ａ、第２の画像形成装置としての画像形成装置２Ｂ〜２Ｄにより構成される。情報管理装置３は、画像形成装置２Ａ〜２Ｄが実行するジョブを管理するサーバ装置である。ＰＣ４は、ジョブの実行指示を情報管理装置３へ送信する。
【００２０】
通信回線Ｎは、ＬＡＮ（Local Area Network）で構成される。また、通信回線Ｎは、電話回線網、ＩＳＤＮ回線網、専用線、移動体通信網、通信衛星回線、ＣＡＴＶ回線網などの各種通信回線とそれらを接続するインターネットサービスプロバイダ基地局などを含んでも良い。
【００２１】
次に、図２を参照して、画像形成装置２の内部構成を説明する。画像形成装置２は、表示制御手段、制御手段としての制御部１０と、操作手段としての操作部１１と、表示手段としての表示部１２と、ＨＤＤ（Hard Disk Drive）１３と、スキャナ部１４と、画像処理部１５と、プリンタ部１６と、画像メモリ１７と、送受信手段としての通信部１８と、Ｉ／Ｆ部１９と、を備えて構成される。
【００２２】
制御部１０は、ＣＰＵ（Central Processing Unit）、ＲＯＭ（Read Only Memory）、ＲＡＭ（Read Access Memory）（以上、図示省略）により構成され、画像処理装置２を構成する各機能に対する指示や、当該機能部間のデータ通信等を制御する。具体的には、ＲＯＭに記憶されているシステムプログラム及び各種アプリケーションプログラムの中から指定されたプログラムをＲＡＭに展開し、ＲＡＭに展開されたプログラムとＣＰＵとの協働で、各種処理を実行する。特に、ＲＯＭには、後述する第１の画面表示プログラムが記憶される。
【００２３】
制御部１０は、第１の画面表示プログラムにより、指定画像形成装置２Ａがプリントジョブを実行できない期間中に、情報管理装置３が指定画像形成装置２Ａで実行するプリントジョブを受信した場合、プリントジョブに関する情報を当該プリントジョブに関する情報の表示可能な期間中に表示部１２に表示させる。ここで、プリントジョブを実行できない期間中とは、指定画像形成装置２Ａの電源ＯＦＦ期間中、指定画像形成装置２Ａの電源ＯＮ時のウォームアップ期間中、指定画像形成装置２Ａの異常状態期間中（例えば、ジャム等による異常状態期間中）、指定画像形成装置２Ａのメンテナンス期間中、または指定画像形成装置２Ａの他のジョブの実行期間中（例えば、ＦＡＸ処理実行期間中）のことをいう。プリントジョブに関する情報の表示可能な期間中とは、プリントジョブに関する情報を指定画像形成装置２Ａの表示部１２に表示することのできる期間中のことをいう。
本実施例では、プリントジョブの実行できない期間中として、指定画像形成装置２Ａの電源ＯＦＦ期間中の場合について説明する。また、プリントジョブに関する情報の表示可能な期間中として、指定画像形成装置の電源ＯＮ時のウォームアップ期間中について説明する。
また、プリントジョブに関する情報とは、代理実行情報としての代理出力ジョブ情報３３Ａ、または識別情報としてのプリントジョブ情報３３Ｂのことをいう。代理出力ジョブ情報３３Ａ、プリントジョブ情報３３Ｂについては後述する。
【００２４】
操作部１１は、操作入力キーやタッチパネル等により構成され、押下されたキーに対応する押下信号や、タッチパネルを当接された位置に対応する位置信号等の操作信号を制御部１０に出力する。
【００２５】
表示部１２は、ＬＣＤ（Liquid Crystal Display）等により構成され、制御部１０から出力される表示データに基づいて、画像の表示状態、各機能の動作状況等を表示出力する。
【００２６】
ＨＤＤ１３は、磁気記憶媒体を備え、制御部１０の指示により、各種情報を読み書き可能に磁気記憶媒体に記憶する。
【００２７】
スキャナ部１４は、プラテンガラス、ＣＣＤ（Charge Coupled Devices）及び光源を備え、図示しないＡＤＦ（Auto Document Feeder）に載置された原稿に対して光源から照明走査した光の反射光をＣＣＤにより結像して光電変換することにより原稿の画像を読み取り、その画像の画像データを生成して画像処理部１５に出力する。
【００２８】
画像処理部１５は、制御部１０の指示に基づいて、スキャナ部１４から出力された画像データ、ＨＤＤ１３に記憶された画像データを圧縮して、画像メモリ１７の圧縮メモリに圧縮画像データとして書き込んで一時的に記憶させる。
【００２９】
制御部１０から画像データの読み出し指示があると、画像メモリ１７に記憶した圧縮画像データを伸長し、画像メモリ１７に一旦記憶させる。そして、制御部１０から印刷出力が指示されると、画像処理部１５は、ページメモリから非圧縮の画像データをページ単位で読み出し、画像データの拡縮や方向転換等の画像処理を行う。そして、画像データに基づくＰＷＭ（Pulse Width Modulation）信号を生成することにより画像データの階調（濃淡）をパルス幅で制御し、当該ＰＷＭ信号をプリンタ部１６に出力する。
【００３０】
プリンタ部１６は、図示しないＬＤ（Laser Diode）と、感光体ドラムと、帯電器と、現像器と、転写部と、定着器と、記録紙を供給する給紙トレイと、搬送経路に沿って記録紙を搬送する給紙ローラ等を備えて構成される。プリンタ部１６は、インクジェット式、熱転写式など、他のプリント方式でもよい。
【００３１】
具体的にプリンタ部１６は、画像処理部１５の指示に基づいて、所定のサイズ及び方向の記録紙を給紙トレイの何れかから給紙して、当該記録紙を搬送経路上に搬送する。そして、感光体ドラム表面を帯電器により帯電させ、画像処理部１５から入力されたＰＷＭ信号に基づいてＬＤによって感光体ドラム表面にレーザ光を照射することにより静電潜像を形成し、感光体ドラム表面の静電潜像を含む領域に現像器によりトナーを付着させる。さらに、給紙トレイから搬送された転写紙に転写部がトナーを転写して画像を形成し、定着器で定着させる。
【００３２】
画像メモリ１７は、ＤＲＡＭ（Dynamic RAM）により構成され、圧縮された画像データを一時的に記憶する圧縮メモリと、印刷出力前にプリント出力対象の非圧縮の画像データを一時的に格納するページメモリとを有する。
【００３３】
通信部１８は、通信回線Ｎを介して図示しない外部機器とデータ通信するための機能部であり、モデムやＬＡＮインターフェイス、ＵＳＢ等により構成される。Ｉ／Ｆ部１９は、後処理装置（図示省略）とデータ通信するための機能部であり、シリアルインタフェース等により構成される。
【００３４】
次に、図３を参照して、情報管理装置３の内部構成を説明する。情報管理装置３は、判別手段、判断手段としての制御部３０と、操作部３１と、表示部３２と、記憶部３３と、送受信手段としての通信部３４と、を備えて構成され、各部がバス３５により接続されている。
【００３５】
制御部３０は、ＣＰＵ、ＲＯＭ、ＲＡＭ（以上、図示省略）等により構成され、情報管理装置３を構成する各機能に対する指示や、当該機能部間のデータ通信等を制御する。制御部３０は、ＲＯＭに記憶されているシステムプログラム及び各種アプリケーションプログラムの中から指定されたプログラムをＲＡＭ上に展開し、ＲＡＭに展開されたプログラムとＣＰＵとの協働で、各種処理を実行する。
【００３６】
制御部３０は、後述する代理出力判断プログラムとの協働により、代理出力判断情報に基づいて、代理出力ジョブ情報３３Ａを画像形成装置２に送信する。
【００３７】
操作部３１は、カーソルキー、数字入力及び各種機能キーなどを備えたキーボードを含む構成とし、操作者によりキーボードで押下された押下信号を制御部３０に出力する。また、操作部３１は、マウスなどのポインティングデバイスを含む構成としてもよい。
【００３８】
表示部３２は、ＬＣＤ、ＣＲＴ（Cathode Ray Tube）等で構成され、制御部３０からの表示信号に従って画面表示を行う。
【００３９】
記憶部３３は、ＨＤＤ等により構成され、代理出力ジョブ情報３３Ａを記憶する。
【００４０】
通信部３４は、通信回線Ｎを介して、画像形成装置２及びＰＣ４等の外部機器とデータ通信するための機能部であり、モデムやＬＡＮインターフェイス等により構成される。
【００４１】
次に図４を参照して、ＰＣ４の内部構成を説明する。ＰＣ４は、制御部４０と、操作部４１と、表示部４２と、記憶部４３と、通信部４４と、を備えて構成され、各部がバス４５により接続されている。制御部４０、操作部４１、表示部４２、記憶部４３、通信部４４は、それぞれ、制御部３０と、操作部３１と、表示部３２と、記憶部３３と、通信部３４と同様であり、異なる部分を主として説明する。
【００４２】
制御部４０は、ユーザにより指示されたプリントジョブを、通信部４４を介して情報管理装置３に送信する。
【００４３】
次に、図５及び図６を参照して、本実施の形態における画像形成装置２の表示部１２の表示画面の例について説明する。図５（Ａ）にウォームアップ時の表示画面の例を示す。図５（Ｂ）に情報管理装置３から代理出力ジョブ情報を受信したときの表示画面の例を示す。図６（Ａ）に代理出力ジョブ情報の表示画面の例を示す。図６（Ｂ）に画像形成装置２の位置を表す地図の表示画面の例を示す。
【００４４】
図５（Ａ）は、表示部１２に、ウォームアップ画面５１と、代理出力ジョブ情報のタッチパネルボタン５２と、が表示されることを示している。ウォームアップ画面５１は、画像形成装置２がウォームアップ状態であることを示す画面である。代理出力ジョブ情報のタッチパネルボタン５２は、情報管理装置３から受信した代理出力ジョブ情報３３Ａを示すボタンである。例えば、ユーザにより、代理出力ジョブ情報のタッチパネルボタン５２が押されると、後述する図６（Ａ）の代理出力ジョブ情報表示画面６１が表示される。
【００４５】
図５（Ｂ）は、表示部１２に、ウォームアップ画面５３と、代理出力ジョブ情報表示画面５４と、が表示されることを示している。代理出力ジョブ情報表示画面５４は、ジョブのジョブ名としてのプリントジョブの名称５５と、実行指示を行ったユーザ名としてのユーザ名５６と、第２の画像形成装置の名称としての代理出力機の名称５７と、地図のタッチパネルボタン５８と、が表示される。例えば、ユーザにより、地図のタッチパネルボタン５８が押されると、後述する図６（Ｂ）の画面が表示部１２に表示される。
【００４６】
図６（Ａ）は、表示部１２に、代理出力ジョブ情報表示画面６１が表示されることを示している。代理出力ジョブ情報表示画面６１は、代理出力ジョブ情報表示画面５４と同様に、プリントジョブの名称５５と、ユーザ名５６と、代理出力機の名称５７と、地図のタッチパネルボタン５８と、が表示される。
【００４７】
図６（Ｂ）は、表示部１２に、画像形成装置２の位置情報を表す地図が表示されることを示している。図６（Ｂ）の例では、名称が「ａａａ」「ｂｂｂ」「ｃｃｃ」「ｘｘｘ」である画像形成装置２の位置情報が表示されることを示している。例えば、「ｂｂｂ」の画像形成装置２でプリントジョブが代理出力された場合、「ｂｂｂ」の画像形成装置２が点滅表示する。これにより、ユーザは、代理出力された画像形成装置「ｂｂｂ」の位置を把握することができる。
【００４８】
次に、図７を参照して、情報管理装置３で実行される代理出力判断処理について説明する。代理出力判断処理は、ＰＣ４から受信したプリントジョブを、指定した画像形成装置以外の画像形成装置で代理出力するか否かを判断する処理である。
【００４９】
例えば、情報管理装置３において、ＰＣ４からプリントジョブが受信開始されたこと等をトリガとして、ＲＯＭから読み出されて適宜ＲＡＭに展開された代理出力判断プログラムと、ＣＰＵとの協働により代理出力判断処理が実行される。
【００５０】
先ず、ＰＣ４から送信されたプリントジョブが受信される（ステップＳ１０１）。プリントジョブの送信は、ユーザがＰＣ４の操作部４１を介してプリントジョブの実行指示を入力することにより行われる。そして、代理出力判断情報を受信したか否かが判別される（ステップＳ１０２）。代理出力判断情報とは、プリントジョブを指定画像形成装置以外の他の画像形成装置で代理実行させるか否かを判断する判断情報のことをいう。指定画像形成装置とは、ユーザにより指定されたプリントジョブを実行する画像形成装置のことをいう。また、代理出力判断情報の設定は、プリントジョブの設定時にユーザがＰＣ４の操作部４１を介して設定することにより行われる。以下、指定画像形成装置を、図１の画像形成装置２Ａ、代理画像形成装置を図１の画像形成装置２Ｂとして説明する。
【００５１】
ステップＳ１０２において、代理出力判断情報を受信していないと判別された場合（ステップＳ１０２；ＮＯ）、指定画像形成装置２Ａの電源がＯＮしているか否かが判別される（ステップＳ１０３）。指定画像形成装置２Ａの電源がＯＮしていないと判別された場合（ステップＳ１０３；ＮＯ）、ステップＳ１０３に移行される。指定画像形成装置２Ａの電源がＯＮしていると判別された場合（ステップＳ１０３；ＹＥＳ）、後述するステップＳ１０９に移行される。
【００５２】
ステップＳ１０２において、代理出力判断情報を受信していると判別された場合（ステップＳ１０２；ＹＥＳ）、指定画像形成装置２Ａの電源がＯＮしているか否かが判別される（ステップＳ１０４）。指定画像形成装置２Ａの電源がＯＮしていないと判別された場合（ステップＳ１０４；ＮＯ）、情報管理装置３の記憶部３３に代理出力ジョブ情報３３Ａが記憶される（ステップＳ１０５）。代理出力ジョブ情報３３Ａは、図５（Ｂ）及び図６（Ａ）（Ｂ）に示すプリントジョブの名称５５と、ユーザ名５６と、代理出力機の名称５７と、代理出力機の位置情報と、のことをいう。代理出力機とは、代理出力を行った代理画像形成装置２Ｂのことをいう。
【００５３】
ステップＳ１０５の実行後、代理画像形成装置２Ｂにプリントジョブが送信される（ステップＳ１０６）。そして、指定画像形成装置２Ａの電源がＯＮされたことを示す信号が受信される（ステップＳ１０７）。ステップＳ１０７の実行後、指定画像形成装置２Ａに代理出力ジョブ情報３３Ａが送信される（ステップＳ１０８）。このとき、送信先である指定画像形成装置２Ａが代理出力ジョブ情報を受信するまで、代理出力ジョブ情報３３Ａの送信が繰り返し行われる。ステップＳ１０８の実行後、代理出力判断処理は終了する。
【００５４】
ステップＳ１０４において、指定画像形成装置２Ａの電源がＯＮしていると判別された場合（ステップＳ１０４；ＹＥＳ）、指定画像形成装置２Ａにプリントジョブ及びプリントジョブ情報が送信される（ステップＳ１０９）。ここで、プリントジョブとは、プリントする部数やプリントする画像の濃度などの情報のことをいう。プリントジョブ情報３３Ｂとは、プリント可能な画像形成装置の識別情報のことをいい、後述するプリントジョブの名称５５と、ユーザ名５６と、代理出力可能な出力機の名称５７Ａと、代理出力可能な出力機の位置情報と、のことをいう。代理出力可能な出力機とは、指定画像形成装置２Ａの代わりに代理出力可能な画像形成装置のことをいう。
【００５５】
ステップＳ１０９の実行後、ユーザにより代理出力を行う選択指示があったか否かが判別される（ステップＳ１１０）。このステップは、後述する第２の実施例の第２の画面表示処理におけるステップＳ３０８の選択指示に基づいて判別される。ユーザにより代理出力を行う選択指示がないと判別された場合（ステップＳ１１０；ＮＯ）、代理出力判断処理は終了する。
【００５６】
ユーザにより代理出力を行う選択指示があると判別された場合（ステップＳ１１０；ＹＥＳ）、指定画像形成装置２Ａからプリントジョブ及びプリントジョブ情報３３Ｂが受信される（ステップＳ１１１）。そして、ユーザにより選択された画像形成装置にプリントジョブが送信される（ステップＳ１１２）。ステップＳ１１２の実行後、代理出力判断処理は終了する。
【００５７】
次に、図８を参照して、指定画像形成装置２Ａで実行される第１の画面表示処理について説明する。第１の画面表示処理は、指定画像形成装置２Ａの電源ＯＦＦ期間中に受け付けられたプリントジョブの代理出力ジョブ情報を、指定画像形成装置２Ａのウォームアップ期間中に表示部１２に表示させる処理である。
【００５８】
例えば、指定画像形成装置２Ａの電源がＯＮされたことをトリガとして、ＲＯＭから読み出されて適宜ＲＡＭに展開された第１の画面表示プログラムと、ＣＰＵとの協働により第１の画面表示処理が実行される。
【００５９】
先ず、指定画像形成装置２Ａの電源がＯＮされ、ウォームアップ期間が開始される（ステップＳ２０１）。そして、表示部１２にウォームアップ画面が表示される（ステップＳ２０２）。ウォームアップ画面としては、例えば、図５（Ａ）に示す画面が表示される。ステップＳ２０２の実行後、情報管理装置３と通信接続される（ステップＳ２０３）。そして、情報管理装置３から受信した代理出力ジョブ情報３３Ａがあるか否かが判別される（ステップＳ２０４）。ここで、情報管理装置３から受信した代理出力ジョブ情報３３Ａとは、代理出力判断処理のステップＳ１０８において送信されたジョブ情報のことをいう。
【００６０】
ステップＳ２０４において、代理出力ジョブ情報３３Ａがないと判別された場合（ステップＳ２０４；ＮＯ）、後述するステップＳ２０９に移行される。ステップＳ２０４において、代理出力ジョブ情報３３Ａがあると判別された場合（ステップＳ２０４；ＹＥＳ）、表示部１２の画面切り替えが実行される（ステップＳ２０５）。このとき、表示部１２の画面は、例えば、図５（Ｂ）又は図６（Ａ）の画面に切り替えられる。
【００６１】
ステップＳ２０５の実行後、ユーザにより地図を選択する指示があったか否かが判別される（ステップＳ２０６）。地図を選択する指示は、ユーザが操作部１１を介して地図を選択する指示を入力することにより行われる。例えば、図５（Ｂ）または図６（Ａ）の地図のタッチパネルボタン５８を、ユーザが押すことにより地図を選択する指示が行われる。地図を選択する指示がないと判別された場合（ステップＳ２０６；ＮＯ）、後述するステップＳ２０８に移行される。地図を選択する指示があると判別された場合（ステップＳ２０６；ＹＥＳ）、表示部１２に表示される画面が切り替えられる（ステップＳ２０７）。このとき、例えば、図６（Ｂ）に示す画面が表示部１２に表示される。
【００６２】
ステップＳ２０７の実行後、プリントジョブの確認動作が実行される（ステップＳ２０８）。プリントジョブの確認動作とは、例えば、図６（Ｂ）に示す画面において、プリントジョブを代理出力した代理画像形成装置２Ｂの点滅表示が実行されることをいう。このとき、図６（Ｂ）の画面において、代理画像形成装置２Ｂが「ｂｂｂ」であった場合、「ｂｂｂ」の画像形成装置が点滅表示される。これにより、ユーザは、ジョブを代理出力した画像形成装置２の確認を行うことができる。ステップＳ２０７の実行後、ウォームアップが完了される（ステップＳ２０８）。そして、第１の画面表示処理は終了する。第１の画面表示処理の終了後、例えばステップＳ２０４；ＮＯの場合は、プリントジョブが情報管理装置３から受信され、当該プリントジョブが指定画像形成装置２Ａで実行される。
【００６３】
以上、本実施の形態によれば、指定画像形成装置２Ａが電源ＯＦＦ期間中であると判別された場合、代理画像形成装置２Ｂにより実行された旨を示す代理出力ジョブ情報３３Ａを、指定画像形成装置２Ａのウォームアップ期間中に指定画像形成装置２Ａの表示部１２に表示させることができる。これにより、ユーザは指定画像形成装置２Ａのウォームアップ期間中に代理出力ジョブ情報３３Ａを把握することができるので、指定画像形成装置２Ａのウォームアップ期間中の待ち時間を解消することができる。
【００６４】
また、指定画像形成装置２Ａが実行するプリントジョブを代理画像形成装置２Ｂに代理実行させるか否かを判断することができる。これにより、情報管理装置３は、判断結果に基づいて、指定画像形成装置２Ａまたは代理画像形成装置２Ｂにプリントジョブを実行させることができる。
【００６５】
（第２の実施の形態）  
図９及び図１０を参照して、本発明に係る第２の実施の形態を説明する。図９に本実施の形態に係る画像形成装置２の表示部１２で表示される画面を示す。図１０に画像形成装置２で実行される第２の画面表示処理の流れを示す。以下、本実施の形態の装置構成は、上記実施の形態と同様に画像形成システム１を用い、上記第１の実施の形態と同様な部分には同一の符号を付し、その詳細な説明を援用し、異なる部分について以下説明する。
【００６６】
画像形成装置２において、第２の画面表示プログラムがＲＯＭに記憶される。
【００６７】
図９を参照して、本実施の形態における画像形成装置２の表示部１２で表示される表示画面の例について説明する。図９（Ａ）にウォームアップ時の表示画面の例を示す。図９（Ｂ）に情報管理装置３からプリントジョブ情報を受信したときの表示画面の例を示す。
【００６８】
図９（Ａ）は、表示部１２に、ウォームアップ画面５１と、代理出力ジョブ情報のタッチパネルボタン５２と、代理出力可能な出力機のタッチパネルボタン５２Ａと、が表示されることを示している。代理出力可能な出力機のタッチパネルボタン５２Ａは、代理出力可能な出力機の位置情報を表示させるためのボタンである。例えば、ユーザが代理出力可能な出力機のタッチパネルボタン５２Ａを押すと、図６（Ｂ）に示す画面が表示部１２に表示される。すなわち、表示部１２に、代理出力可能な出力機の位置情報が表示される
【００６９】
図９（Ｂ）は、表示部１２に、ウォームアップ画面５３と、ジョブ情報表示画面５４Ａと、が表示されることを示している。ジョブ情報表示画面５４Ａは、プリントジョブの名称５５と、ユーザ名５６と、ジョブの代理実行可能な画像形成装置の名称としての代理出力可能な出力機の名称５７Ａと、地図のタッチパネルボタン５８と、が表示されることを示している。代理出力可能な出力機の名称５７Ａは、プリントジョブの代理出力が可能な画像形成装置２の名称である。
【００７０】
次に、図１０を参照して、指定画像形成装置２Ａで実行される第２の画面表示処理について説明する。第２の画面表示処理は、指定画像形成装置２Ａがプリントジョブを実行できない期間中に、情報管理装置３が指定画像形成装置２Ａで実行するプリントジョブを受信した場合、プリントジョブに関する情報（プリントジョブ情報３３Ｂ）を、当該プリントジョブ情報３３Ｂの表示可能な期間中に表示部１２に表示させ、代理実行可能な画像形成装置を指定する処理である。
本実施の形態では、プリントジョブの実行ができない期間中として、指定画像形成装置２Ａのウォームアップ期間中の場合について説明する。また、プリントジョブ情報の表示可能期間中として、指定画像形成装置２Ａのウォームアップ期間中の場合について説明する。
【００７１】
また、本実施の形態において、情報管理装置３では、第１の実施の形態と同様に代理出力判断処理が実行される。
【００７２】
例えば、指定画像形成装置２Ａの電源がＯＮされたことをトリガとして、ＲＯＭから読み出されて適宜ＲＡＭに展開された第２の代理出力画面表示プログラムと、ＣＰＵとの協働により第２の画面表示処理が実行される。
【００７３】
先ず、指定画像形成装置２Ａの電源がＯＮされ、ウォームアップ期間が開始される（ステップＳ３０１）。そして、表示部１２にウォームアップ画面が表示される（ステップＳ３０２）。ウォームアップ画面は、例えば、図９（Ａ）に示す画面が表示部１２に表示される。ステップＳ３０２の実行後、情報管理装置３と通信接続される（ステップＳ３０３）。そして、情報管理装置３から受信したプリントジョブ情報３３Ｂがあるか否かが判別される（ステップＳ３０４）。プリントジョブ情報３３Ｂは、情報管理装置３で実行される代理出力判断処理のステップＳ１０９において送信されたプリントジョブ情報３３Ｂのことをいう。また、このときプリントジョブも同時に受信される。
【００７４】
ステップＳ３０４において、プリントジョブ情報３３Ｂがないと判別された場合（ステップＳ３０４；ＮＯ）、後述するステップＳ３１０に移行される。プリントジョブ情報３３Ｂがあると判別された場合（ステップＳ３０４；ＹＥＳ）、表示部１２の画面切り替えが実行される（ステップＳ３０５）。このとき、表示部１２の画面は、例えば、図９（Ｂ）又は図６（Ａ）の画面に切り替えられる。
【００７５】
ステップＳ３０５の実行後、ユーザにより地図を選択する指示があるか否かが判別される（ステップＳ３０６）。地図を選択する指示は、ユーザが操作部１１を介して地図を選択する指示を入力することにより行われる。例えば、図９（Ｂ）または図６（Ａ）の地図のタッチパネルボタン５８を、ユーザが押すことにより地図を選択する指示が行われる。ユーザにより地図を選択する指示がないと判別された場合（ステップＳ３０６；ＮＯ）、後述するステップＳ３０８に移行される。ユーザにより地図を選択する指示があると判別された場合（ステップＳ３０６；ＹＥＳ）、表示部１２に表示される画面が切り替えられる（ステップＳ３０７）。このとき、例えば、図６（Ｂ）に示す画面が表示部１２に表示される。
【００７６】
ステップＳ３０７の実行後、ユーザによりプリントジョブの代理出力処理を行う指示があるか否かが判別される（ステップＳ３０８）。プリントジョブの代理出力処理を行う指示は、ユーザが操作部１１を介して代理出力する画像形成装置を指定することにより行われる。
【００７７】
ユーザによりプリントジョブの代理出力処理を行う指示がないと判別された場合（ステップＳ３０８；ＮＯ）、後述するステップＳ３１０に移行される。この場合、情報管理装置３の代理出力判断処理は、ステップＳ１１０；ＮＯとなる。ユーザによりプリントジョブの代理出力処理を行う指示があると判別された場合（ステップＳ３０８；ＹＥＳ）、プリントジョブ及びプリントジョブ情報３３Ｂが情報管理装置３に送信される（ステップＳ３０９）。この場合、情報管理装置３の代理出力判断処理は、ステップＳ１１０；ＹＥＳとなり、ステップＳ１１１によりプリントジョブが受信される。そして、ユーザにより指定された画像形成装置でプリントジョブの代理実行が行われる。ステップＳ３０９の実行後、ウォームアップが完了される（ステップＳ３１０）。そして、第２の画面表示処理は終了する。
【００７８】
以上、本実施の形態によれば、指定画像形成装置２Ａのウォームアップ期間中に受信されたプリントジョブ情報３３Ｂを、指定画像形成装置２Ａのウォームアップ期間中に表示部１２に表示させることができる。これにより、ユーザは指定画像形成装置のウォームアップ期間中にジョブを代理実行する画像形成装置を指定することができ、指定画像形成装置２Ａのウォームアップ期間中の待ち時間を解消することができる。
【００７９】
（第２の実施の形態の変形例）  
図１１及び図１２を参照して、本発明に係る第２の実施の形態の変形例を説明する。図１１に本変形例に係る画像形成装置２の表示部１２で表示される画面を示す。図１２に画像形成装置２で実行される第３の画面表示処理の流れを示す。以下、本変形例の装置構成は、第１の実施の形態と同様に画像形成システム１を用い、上記第１の実施の形態と同様な部分には同一の符号を付し、その詳細な説明を援用し、異なる部分について以下説明する。
【００８０】
画像形成装置２において、第３の画面表示プログラムがＲＯＭに記憶される。
【００８１】
図１１を参照して、本変形例における画像形成装置２の表示部１２で表示される表示画面の例について説明する。ここで、本変形例では、画像形成装置２はＦＡＸ送受信機能を有するものとして、以下説明する。図１１（Ａ）にＦＡＸ処理時の表示画面の例を示す。図１１（Ｂ）に情報管理装置３からプリントジョブ情報を受信したときの表示画面の例を示す。
【００８２】
図１１（Ａ）は、表示部１２に、ＦＡＸ処理中画面５１Ａと、代理出力ジョブ情報のタッチパネルボタン５２と、代理出力可能な出力機のタッチパネルボタン５２Ａと、が表示されることを示している。ＦＡＸ処理中画面５１Ａは、指定画像形成装置２ＡがＦＡＸ処理中であることを示す画面である。図１１（Ｂ）は、表示部１２に、ＦＡＸ処理中画面５３Ａと、ジョブ情報表示画面５４Ａと、が表示されることを示している。
【００８３】
次に、図１２を参照して、指定画像形成装置２Ａで実行される第３の画面表示処理について説明する。第３の画面表示処理は、指定画像形成装置２Ａがプリントジョブを実行できない期間中に、情報管理装置３が指定画像形成装置２Ａで実行するプリントジョブを受信した場合、プリントジョブに関する情報（プリントジョブ情報３３Ｂ）を、当該プリントジョブ情報３３Ｂの表示可能な期間中に表示部１２に表示させ、代理実行可能な画像形成装置を指定する処理である。
本変形例では、プリントジョブを実行できない期間中としては、指定画像形成装置２Ａが他のジョブ（ＦＡＸ処理期間中）の場合について説明する。また、プリントジョブ情報３３Ｂの表示可能期間中としては、他のジョブの実行期間中（ＦＡＸ処理期間中）の場合について説明する。
【００８４】
例えば、画像形成装置２の電源がＯＮされたことをトリガとして、ＲＯＭから読み出されて適宜ＲＡＭに展開された第３の画面表示プログラムと、ＣＰＵとの協働によりプリントジョブ表示処理が実行される。
【００８５】
先ず、画像形成装置２の電源がＯＮされる（ステップＳ４０１）。そして、ＦＡＸ処理が実行される（ステップＳ４０２）。ステップＳ４０２の実行後、ＦＡＸ処理期間中であることを示す画面が表示部１２に表示される（ステップＳ４０３）。例えば、図１１（Ａ）に示す画面が表示部１２に表示される。ステップＳ４０３の実行後、情報管理装置３と通信接続される（ステップＳ４０４）。そして、情報管理装置３から受信したプリントジョブ情報３３Ｂがあるか否かが判別される（ステップＳ４０５）。プリントジョブ情報３３Ｂは、情報管理装置３で実行される代理出力判断処理のステップＳ１０９において送信されたプリントジョブ情報の３３Ｂことをいう。また、このときプリントジョブも同時に受信される。
【００８６】
ステップＳ４０５において、プリントジョブ情報３３Ｂがないと判別された場合（ステップＳ４０５；ＮＯ）、後述するステップＳ４０９に移行される。ステップＳ４０５において、プリントジョブ情報３３Ｂがあると判別された場合（ステップＳ４０５；ＹＥＳ）、表示部１２の画面切り替えが実行される（ステップＳ４０６）。このとき、表示部１２の画面は、例えば、図１１（Ｂ）または図６（Ａ）の画面に切り替えられる。
【００８７】
ステップＳ４０６の実行後、ユーザにより地図を選択する指示があったか否かが判別される（ステップＳ４０７）。地図を選択する指示は、ユーザが操作部１１を介して地図を選択する指示を入力することにより行われる。例えば、図１１（Ｂ）又は図６（Ａ）の地図のタッチパネルボタン５８を、ユーザが押すことにより地図を選択する指示が行われる。ユーザにより地図を選択する指示がないと判別された場合（ステップＳ４０７；ＮＯ）、後述するステップＳ４０９に移行される。ユーザにより地図を選択する指示があると判別された場合（ステップＳ４０７；ＹＥＳ）、表示部１２に表示される画面が切り替えられる（ステップＳ４０８）。このとき、例えば、図１０（Ｂ）に示す画面が表示部１２に表示される。
【００８８】
ステップＳ４０８の実行後、ユーザによりプリントジョブの代理出力処理を行う指示があるか否かが判別される（ステップＳ４０９）。プリントジョブの代理出力処理を行う指示は、ユーザが操作部１１を介して代理出力する画像形成装置を指定することにより行われる。
【００８９】
ユーザによりプリントジョブの代理出力処理を行う指示がないと判別された場合（ステップＳ４０９；ＮＯ）、第３の表示画面処理は終了する。ユーザによりプリントジョブの代理出力処理を行う指示があると判別された場合（ステップＳ４０９；ＹＥＳ）、プリントジョブ及びプリント処理情報が情報管理装置３に送信される（ステップＳ４１０）。そして、ユーザにより指定された画像形成装置でプリントジョブの代理実行が行われる。ステップＳ４１０の実行後、第３の表示画面処理は終了する。
【００９０】
以上、本実施の形態によれば、指定画像形成装置２ＡのＦＡＸ処理期間中に受信されたプリントジョブ情報３３Ｂを、指定画像形成装置２ＡのＦＡＸ処理期間中に表示部１２に表示させることができる。これにより、ユーザは指定画像形成装置２ＡのＦＡＸ処理期間中にジョブを代理実行する画像形成装置を指定することができ、指定画像形成装置２ＡのＦＡＸ処理期間中の待ち時間を解消することができる。
【００９１】
なお、上記実施の形態における記述は、本発明に係る画像形成システム１、画像形成装置２の一例であり、これに限定されるものではない。
【００９２】
例えば、上記実施の形態では、ジョブをプリントジョブとして説明したが、スキャン、コピー、Ｆａｘ送信、及びメール送信のジョブとしてもよい。
【００９３】
その他、上記実施の形態における画像形成システム１の細部構成及び詳細動作に関しても、本発明の趣旨を逸脱しない範囲で適宜変更可能である。
【図面の簡単な説明】
【００９４】
【図１】本発明に係る画像形成システム１の構成図である。
【図２】画像形成装置２の内部構成図である。
【図３】情報管理装置３の内部構成図である。
【図４】ＰＣ４の内部構成図である。
【図５】画像形成装置２の表示部１２で表示される画面である。
【図６】画像形成装置２の表示部１２で表示される画面である。
【図７】情報管理装置３で実行される代理出力判断処理の流れを示す図である。
【図８】画像形成装置２で実行される第１の画面表示処理の流れを示す図である。
【図９】画像形成装置２の表示部１２で表示される画面である。
【図１０】画像形成装置２で実行される第２の画面表示処理の流れを示す図である。
【図１１】画像形成装置２の表示部１２で表示される画面である。
【図１２】画像形成装置２で実行される第３の画面表示処理の流れを示す図である。
【符号の説明】
【００９５】
１     画像形成システム
２Ａ−２Ｄ  画像形成装置
３     情報管理装置
４     ＰＣ
１０   制御部
１１   操作部
１２   表示部
１３   ＨＤＤ
１４   スキャナ部
１５   画像処理部
１６   プリンタ部
１７   画像メモリ
１８   通信部
１９   Ｉ／Ｆ部
３０   制御部
３１   操作部
３２   表示部
３３   記憶部
３３Ａ 代理出力ジョブ情報
３４   通信部
３５   バス
５１   ウォームアップ画面
５１Ａ ＦＡＸ処理中画面
５２   代理出力ジョブ情報のタッチパネルボタン
５２Ａ 代理出力可能な出力機のタッチパネルボタン
５３   ウォームアップ画面
５３Ａ ＦＡＸ処理中画面
５４   代理出力ジョブ情報表示画面
５４Ａ ジョブ情報表示画面
５５   プリントジョブの名称
５６   ユーザ名
５７   代理出力機の名称
５７Ａ 代理出力可能な出力機の名称
５８   地図のタッチパネルボタン
６１   代理出力ジョブ情報表示画面
Ｎ     通信回線
【図１】
2008165596.tif 000003
【図２】
2008165596.tif 000004
【図３】
2008165596.tif 000005
【図４】
2008165596.tif 000006
【図５】
2008165596.tif 000007
【図６】
2008165596.tif 000008
【図７】
2008165596.tif 000009
【図８】
2008165596.tif 000010
【図９】
2008165596.tif 000011
【図１０】
2008165596.tif 000012
【図１１】
2008165596.tif 000013
【図１２】
2008165596.tif 000014